【手続補正書】
【提出日】平成20年9月29日(2008.9.29)
【手続補正１】
【補正対象書類名】特許請求の範囲
【補正対象項目名】全文
【補正方法】変更
【補正の内容】
【特許請求の範囲】
【請求項１】
複数の圧力発生室及び該圧力発生室に連通する液体流路が形成された流路形成基板と、
リザーバの一部を構成するリザーバ部が形成されたリザーバ形成基板と、
前記リザーバ形成基板の前記流路形成基板が接合された面とは反対側の面上に接合され、前記リザーバ部内の圧力変化を吸収するコンプライアンス基板と、
前記コンプライアンス基板にリブを介して接合されたケースヘッドとを備え、
前記ケースヘッドと前記液体流路の間に空隙を有することを特徴とする液体噴射ヘッド。
【請求項２】
請求項１に記載の液体噴射ヘッドにおいて、
前記リザーバ部の内壁面と該リザーバ部に対向する領域にリブを形成し、
前記空隙は、前記リブの側面の間に設けられた隙間である
ことを特徴とする液体噴射ヘッド。
【請求項３】
請求項１に記載の液体噴射ヘッドにおいて、
前記ケースヘッドの端部は前記リザーバ部に対向する領域に設けられ、
前記空隙は、前記リザーバ部の内壁面と前記ケースヘッドの端部の間に設けられた隙間である
ことを特徴とする液体噴射ヘッド。
【請求項４】
請求項１に記載の液体噴射ヘッドにおいて、
前記リザーバ形成基板は前記リザーバ部と連続する空隙部を有し、
前記空隙は、前記リブとの対向位置に設けられた前記空隙部である
ことを特徴とする液体噴射ヘッド。
【請求項５】
請求項１に記載の液体噴射ヘッドにおいて、
前記リザーバ形成基板は前記リザーバ部と分かれた空隙部を有し、
前記空隙は、前記リブを前記空隙部と対向する位置に設けたことにより形成される
ことを特徴とする液体噴射ヘッド。
【請求項６】
請求項１に記載の液体噴射ヘッドにおいて、
前記ケースヘッドの前記リザーバ形成基板接合面側の端部に切り欠き部を形成し、
前記空隙は、前記リブを前記切り欠き部と対向する位置に設けたことにより形成される  ことを特徴とする液体噴射ヘッド。
【請求項７】
請求項１に記載の液体噴射ヘッドにおいて、
前記ケースヘッドの前記リザーバ形成基板接合面側にケースヘッド空洞部を形成し、
前記空隙は、前記リブを前記ケースヘッド空洞部と対向する位置に設けたことにより形成される
ことを特徴とする液体噴射ヘッド。
【請求項８】
請求項１〜７記載のいずれか一項に記載の液体噴射ヘッドを備えたことを特徴とする液体噴射装置。
【手続補正２】
【補正対象書類名】明細書
【補正対象項目名】００１０
【補正方法】変更
【補正の内容】
【００１０】
上記目的を達成するための請求項１に係る本発明の液体噴射ヘッドは、複数の圧力発生室及び該圧力発生室に連通する液体流路が形成された流路形成基板と、リザーバの一部を構成するリザーバ部が形成されたリザーバ形成基板と、前記リザーバ形成基板の前記流路形成基板が接合された面とは反対側の面上に接合され、前記リザーバ部内の圧力変化を吸収するコンプライアンス基板と、前記コンプライアンス基板にリブを介して接合されたケースヘッドとを備え、前記ケースヘッドと前記液体流路の間に空隙を有することを特徴とする。
請求項１に係る本発明では、ケースヘッドから流路形成基板の液体流路側に伝わる応力は空隙により吸収され、直接伝わることがない。
【手続補正３】
【補正対象書類名】明細書
【補正対象項目名】００１１
【補正方法】変更
【補正の内容】
【００１１】
そして、請求項２に係る本発明の液体噴射ヘッドは、請求項１に記載の液体噴射ヘッドにおいて、前記リザーバ部の内壁面と該リザーバ部に対向する領域にリブを形成し、前記空隙は、前記リブの側面の間に設けられた隙間であることを特徴とする。
請求項２に係る本発明では、ケースヘッドから流路形成基板の液体流路側に伝わる応力はコンプライアンス基板延設部を介して確実にリザーバ部に吸収される。
【手続補正４】
【補正対象書類名】明細書
【補正対象項目名】００１２
【補正方法】変更
【補正の内容】
【００１２】
また、請求項３に係る本発明の液体噴射ヘッドは、請求項１に記載の液体噴射ヘッドにおいて、前記ケースヘッドの端部は前記リザーバ部に対向する領域に設けられ、前記空隙は、前記リザーバ部の内壁面と前記ケースヘッドの端部の間に設けられた隙間であることを特徴とする。
請求項３に係る本発明では、ケースヘッドから流路形成基板の液体流路側に伝わる応力はリザーバ部の内壁面と前記ケースヘッドの端部の間に設けられた隙間により確実にリザーバ部に吸収される。
【手続補正５】
【補正対象書類名】明細書
【補正対象項目名】００１３
【補正方法】変更
【補正の内容】
【００１３】
また、請求項４に係る本発明の液体噴射ヘッドは、請求項１に記載の液体噴射ヘッドにおいて、前記リザーバ形成基板は前記リザーバ部と連続する空隙部を有し、前記空隙は、前記リブとの対向位置に設けられた前記空隙部であることを特徴とする。
請求項４に係る本発明では、ケースヘッドから流路形成基板の液体流路側に伝わる応力はリブとの対向位置に設けられた空隙部により確実にリザーバ部に吸収される。
【手続補正６】
【補正対象書類名】明細書
【補正対象項目名】００１４
【補正方法】変更
【補正の内容】
【００１４】
また、請求項５に係る本発明の液体噴射ヘッドは、請求項１に記載の液体噴射ヘッドにおいて、前記リザーバ形成基板は前記リザーバ部と分かれた空隙部を有し、前記空隙は、前記リブを前記空隙部と対向する位置に設けたことにより形成されることを特徴とする。
請求項５に係る本発明では、ケースヘッドから流路形成基板の液体流路側に伝わる応力は確実にリザーバ部と分かれた空隙部に吸収される。
【手続補正７】
【補正対象書類名】明細書
【補正対象項目名】００１５
【補正方法】変更
【補正の内容】
【００１５】
また、請求項６に係る本発明の液体噴射ヘッドは、請求項１に記載の液体噴射ヘッドにおいて、前記ケースヘッドの前記リザーバ形成基板接合面側の端部に切り欠き部を形成し、前記空隙は、前記リブを前記切り欠き部と対向する位置に設けたことにより形成されることを特徴とする。
請求項６に係る本発明では、ケースヘッドから流路形成基板の液体流路側に伝わる応力は切り欠き部に対向する空隙により確実に吸収される。
【手続補正８】
【補正対象書類名】明細書
【補正対象項目名】００１６
【補正方法】変更
【補正の内容】
【００１６】
また、請求項７に係る本発明の液体噴射ヘッドは、請求項１に記載の液体噴射ヘッドにおいて、前記ケースヘッドの前記リザーバ形成基板接合面側にケースヘッド空洞部を形成し、前記空隙は、前記リブを前記ケースヘッド空洞部と対向する位置に設けたことにより形成されることを特徴とする。
請求項７に係る本発明では、ケースヘッドから流路形成基板の液体流路側に伝わる応力は確実にケースヘッド空洞部に吸収される。
【手続補正９】
【補正対象書類名】明細書
【補正対象項目名】００１７
【補正方法】変更
【補正の内容】
【００１７】
また、上記目的を達成するための請求項８に係る本発明の液体噴射装置は、請求項１〜７記載のいずれか一項に記載の液体噴射ヘッドを備えたことを特徴とする。
請求項８に係る本発明では、ケースヘッドから流路形成基板の液体流路側に伝わる応力が空隙により吸収されて直接伝わることがない液体噴射ヘッドを備えた液体噴射装置となる。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】